【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
顧客に販売する商品の画像を表示する表示部と、商品に対して当該商品の販売が制限されている時間を含む販売制限情報を記憶する記憶手段とを備えた自動販売機であって、
前記顧客の年齢が所定年齢以上であるかを判定する年齢判定手段と、
現在の時間と、前記記憶手段に記憶されている販売制限情報とに従って、各商品のそれぞれに対して販売を制限するか否かを判定する判定手段と、
前記判定手段により販売を制限すると判定された商品の画像は前記表示部に表示せずに、前記判定手段により販売が制限されていないと判定された商品の画像を前記表示部に表示するように制御する表示制御手段と、
を備え、
前記表示制御手段は、前記年齢認証手段により、前記顧客の年齢が所定年齢以上であると判定されたことを条件に、前記判定手段により販売が制限されていると判定された商品の画像についても、前記表示部に表示するように制御することを特徴とする自動販売機。
【請求項２】
前記表示制御手段は、前記年齢認証手段により、前記顧客の年齢が所定年齢以上ではないと判定された場合には、前記判定手段により販売を制限すると判定された商品の画像は前記表示部に表示せずに、前記判定手段により販売が制限されていないと判定された商品の画像を前記表示部に表示するように制御することを特徴とする自動販売機。
【請求項３】
前記記憶手段は、更に、商品が補充される各コラムに対して当該商品の販売期限を示す販売期限情報を記憶し、
前記表示部に表示されている商品の販売を停止するか否かを判定する停止判定手段と、
前記表示制御手段により、前記判定手段により販売を制限すると判定された商品の画像は前記表示部に表示せずに、前記判定手段により販売が制限されていないと判定された商品の画像を前記表示部に表示するように制御した場合であり、前記停止判定手段により販売を停止すると判定された商品がある場合は、前記判定手段により販売が制限されていないと判定された商品であって前記停止判定手段により販売を停止すると判定されなかった商品が補充されているコラムに対して前記記憶手段に記憶されている前記販売期限情報を特定する特定手段と、
前記特定手段により特定された前記販売期限情報に従って、前記停止判定手段により販売を停止すると判定された商品の代わりに前記表示部に表示する画像の商品を決定する決定手段と、
を更に備え、
前記表示制御手段は、前記停止判定手段により販売を停止すると判定された商品の画像の代わりに、前記決定手段により決定された商品の画像を前記表示部に表示するように制御することを特徴とする請求項１又は２に記載の自動販売機。
【請求項４】
前記特定手段は、前記年齢認証手段により、前記顧客の年齢が所定年齢以上であると判定されたことを条件に、前記判定手段により販売が制限されていると判定された商品の画像についても、前記表示部に表示するように制御した場合であり、前記停止判定手段で販売を停止すると判定された商品がある場合は、前記判定手段により販売が制限されていないと判定された商品、及び、前記判定手段により販売が制限されていると判定された商品であって前記停止判定手段により販売を停止すると判定されなかった商品が補充されているコラムに対して前記記憶手段に記憶されている前記販売期限情報を特定することを特徴とする請求項３に記載の自動販売機。
【請求項５】
顧客に販売する商品の画像を表示する表示部と、商品に対して当該商品の販売が制限されている時間を含む販売制限情報を記憶する記憶手段とを備えた自動販売機の制御方法であって、
前記自動販売機の年齢判定手段が、前記顧客の年齢が所定年齢以上であるかを判定する年齢判定工程と、
前記自動販売機の判定手段が、現在の時間と、前記記憶手段に記憶されている販売制限情報とに従って、各商品のそれぞれに対して販売を制限するか否かを判定する判定工程と、
前記自動販売機の表示制御手段が、前記判定工程により販売を制限すると判定された商品の画像は前記表示部に表示せずに、前記判定工程により販売が制限されていないと判定された商品の画像を前記表示部に表示するように制御する表示制御工程と、
を備え、
前記表示制御工程は、前記年齢認証工程により、前記顧客の年齢が所定年齢以上であると判定されたことを条件に、前記判定工程により販売が制限されていると判定された商品の画像についても、前記表示部に表示するように制御することを特徴とする自動販売機の制御方法。
【請求項６】
顧客に販売する商品の画像を表示する表示部と、商品に対して当該商品の販売が制限されている時間を含む販売制限情報を記憶する記憶手段とを備えた自動販売機で読み取り実行可能なプログラムあって、
前記自動販売機を、
前記顧客の年齢が所定年齢以上であるかを判定する年齢判定手段と、
現在の時間と、前記記憶手段に記憶されている販売制限情報とに従って、各商品のそれぞれに対して販売を制限するか否かを判定する判定手段と、
前記判定手段により販売を制限すると判定された商品の画像は前記表示部に表示せずに、前記判定手段により販売が制限されていないと判定された商品の画像を前記表示部に表示するように制御する表示制御手段として機能させ、
前記表示制御手段は、前記年齢認証手段により、前記顧客の年齢が所定年齢以上であると判定されたことを条件に、前記判定手段により販売が制限されていると判定された商品の画像についても、前記表示部に表示するように制御することを特徴とするプログラム。
【手続補正２】
【補正対象書類名】明細書
【補正対象項目名】００１２
【補正方法】変更
【補正の内容】
【００１２】
本発明は、顧客に販売する商品の画像を表示する表示部と、商品に対して当該商品の販売が制限されている時間を含む販売制限情報を記憶する記憶手段とを備えた自動販売機であって、前記顧客の年齢が所定年齢以上であるかを判定する年齢判定手段と、現在の時間と、前記記憶手段に記憶されている販売制限情報とに従って、各商品のそれぞれに対して販売を制限するか否かを判定する判定手段と、前記判定手段により販売を制限すると判定された商品の画像は前記表示部に表示せずに、前記判定手段により販売が制限されていないと判定された商品の画像を前記表示部に表示するように制御する表示制御手段と、を備え、前記表示制御手段は、前記年齢認証手段により、前記顧客の年齢が所定年齢以上であると判定されたことを条件に、前記判定手段により販売が制限されていると判定された商品の画像についても、前記表示部に表示するように制御することを特徴とする。
【手続補正３】
【補正対象書類名】明細書
【補正対象項目名】００１３
【補正方法】変更
【補正の内容】
【００１３】
また、本発明は、顧客に販売する商品の画像を表示する表示部と、商品に対して当該商品の販売が制限されている時間を含む販売制限情報を記憶する記憶手段とを備えた自動販売機の制御方法であって、前記自動販売機の年齢判定手段が、前記顧客の年齢が所定年齢以上であるかを判定する年齢判定工程と、前記自動販売機の判定手段が、現在の時間と、前記記憶手段に記憶されている販売制限情報とに従って、各商品のそれぞれに対して販売を制限するか否かを判定する判定工程と、前記自動販売機の表示制御手段が、前記判定工程により販売を制限すると判定された商品の画像は前記表示部に表示せずに、前記判定工程により販売が制限されていないと判定された商品の画像を前記表示部に表示するように制御する表示制御工程と、を備え、前記表示制御工程は、前記年齢認証工程により、前記顧客の年齢が所定年齢以上であると判定されたことを条件に、前記判定工程により販売が制限されていると判定された商品の画像についても、前記表示部に表示するように制御することを特徴とする。
【手続補正４】
【補正対象書類名】明細書
【補正対象項目名】００１４
【補正方法】変更
【補正の内容】
【００１４】
また、本発明は、顧客に販売する商品の画像を表示する表示部と、商品に対して当該商品の販売が制限されている時間を含む販売制限情報を記憶する記憶手段とを備えた自動販売機で読み取り実行可能なプログラムあって、前記自動販売機を、前記顧客の年齢が所定年齢以上であるかを判定する年齢判定手段と、現在の時間と、前記記憶手段に記憶されている販売制限情報とに従って、各商品のそれぞれに対して販売を制限するか否かを判定する判定手段と、前記判定手段により販売を制限すると判定された商品の画像は前記表示部に表示せずに、前記判定手段により販売が制限されていないと判定された商品の画像を前記表示部に表示するように制御する表示制御手段として機能させ、前記表示制御手段は、前記年齢認証手段により、前記顧客の年齢が所定年齢以上であると判定されたことを条件に、前記判定手段により販売が制限されていると判定された商品の画像についても、前記表示部に表示するように制御することを特徴とする。